(57)【要約】【課題】白熱灯と蛍光灯の両方を点灯可能な熱線センサ付自動スイッチを提供する。【解決手段】熱線センサ付自動スイッチ１は、明るさセンサ部１２の検出した明るさが点灯開始照度より暗い状態で人感センサ部１１が人を検知すると照明負荷Ｌを一定時間点灯させる制御信号を出力する制御回路部１０と、商用電源ＡＣ及び照明負荷Ｌの直列回路が両端子間に接続された半導体開閉部１６と、制御信号に応じて半導体開閉部１６のオン／オフを制御する半導体制御部１５と、接続する照明負荷Ｌを白熱灯又は蛍光灯点灯装置の何れかに設定する負荷設定部１８とを備え、制御回路部１０は、負荷設定部１８の設定が白熱灯の場合は半導体開閉部１６の導通角を制御して白熱灯を調光点灯させ、蛍光灯点灯装置の場合は半導体開閉部１６を導通させて蛍光灯点灯装置へ一定電力を供給する。【選択図】　　　図１
2004031093.tif 000002
【特許請求の範囲】
【請求項１】
検知領域における人の存否を検出する人感センサ部と、周囲の明るさを検出する明るさセンサ部と、明るさセンサ部の検出した明るさが所定の点灯開始照度より暗い状態で、少なくとも人感センサ部が検出信号を発生すると照明負荷を所定の動作保持時間点灯させる制御信号を出力する制御回路部と、接続端子を介して商用電源及び照明負荷の直列回路が接続され前記制御信号に応じて照明負荷への電源供給をオン／オフする半導体開閉素子とを備え、半導体開閉素子は白熱灯又は蛍光灯点灯装置の内の何れでも点灯可能な負荷容量を有し、照明負荷として白熱灯と蛍光灯点灯装置の内の何れかが選択的に用いられ、制御回路部は、白熱灯が接続された場合には半導体開閉素子の導通角を制御して白熱灯を調光点灯させるとともに、蛍光灯点灯装置が接続された場合には半導体開閉素子を導通させて蛍光灯点灯装置へ電力供給することを特徴とする熱線センサ付自動スイッチ。
【請求項２】
スイッチ本体の内部に前記半導体開閉素子に熱的に結合された放熱部材を収納し、スイッチ本体に放熱部材の一部を露出させる開口部を形成したことを特徴とする請求項１記載の熱線センサ付自動スイッチ。
【請求項３】
接続する照明負荷を白熱灯又は蛍光灯点灯装置の何れかに設定する負荷設定部をスイッチ本体に設け、負荷設定部の設定に応じて制御回路部が照明負荷の種類に応じた制御動作を行うことを特徴とする請求項１記載の熱線センサ付自動スイッチ。
【請求項４】
前記半導体開閉素子と並列にリレー接点を接続し、前記制御回路部は、白熱灯の調光点灯時にリレー接点を開極させると共に半導体開閉素子をオン／オフさせ、白熱灯の定格点灯時及び蛍光灯の点灯時にリレー接点を閉極させることを特徴とする請求項１記載の熱線センサ付自動スイッチ。
【請求項５】
スイッチ本体と別体に形成された操作スイッチ本体を備え、スイッチ本体と操作スイッチ本体の内、少なくとも操作スイッチ本体に、前記動作保持時間及び前記点灯開始照度の設定部と、接続する照明負荷を白熱灯又は蛍光灯点灯装置の何れかに設定する負荷設定部と、制御回路部の動作モードを、各センサ部の出力に基づいて照明負荷の点灯状態を自動的に制御する自動モード、各センサ部の出力と無関係に照明負荷を強制的に消灯又は点灯させる切モード又は連続入モードの何れかに切り替える動作モード切替部とを設けたことを特徴とする請求項１乃至請求項４の何れかに記載の熱線センサ付自動スイッチ。
【請求項６】
スイッチ本体と操作スイッチ本体の両方に、前記動作保持時間及び前記点灯開始照度の設定部、前記負荷設定部、及び前記動作モード切替部をそれぞれ設けたことを特徴とする請求項５記載の熱線センサ付自動スイッチ。
【請求項７】
上記蛍光灯点灯装置は、外部から入力される調光信号に応じて蛍光灯を調光点灯させる機能を有しており、照明負荷として蛍光灯点灯装置が接続された場合に、上記制御回路部が蛍光灯点灯装置に調光信号を出力することを特徴とする請求項１乃至請求項６の何れかに記載の熱線センサ付自動スイッチ。
【発明の詳細な説明】
【０００１】
【発明の属する技術分野】
本発明は、熱線センサ付自動スイッチに関するものである。
【０００２】
【従来の技術】
従来より、検知領域における人の存否を検出する人感センサ部と、人感センサ部が検出信号を発生すると照明負荷を点灯させる制御信号を出力する制御回路部と、接続端子を介して商用電源及び照明負荷の直列回路が接続され制御回路部の制御信号に応じて照明負荷への電源供給をオン／オフする開閉素子とを備え、人感センサ部が人を検出すると、別途に設けられた照明負荷を点灯させる熱線センサ付自動スイッチが提供されている。
【０００３】
【発明が解決しようとする課題】
ところで、照明負荷として白熱灯が接続され白熱灯を調光点灯させる場合には開閉素子としてトライアックを備え、トライアックにより位相制御を行って白熱灯を調光点灯させる熱線センサ付スイッチが用いられているが、照明負荷として蛍光灯点灯装置が接続されて蛍光灯の点灯／消灯を制御する場合は負荷容量が白熱灯に比べて大きいために（白熱灯点灯形の場合は約２Ａ、蛍光灯点灯形の場合は約３Ａ）、トライアックの発熱が大きくなるという問題があった。そこで、従来は白熱灯用と蛍光灯用とで開閉素子に別々のもの（白熱灯用はトライアック、蛍光灯用はリレー）を使用しており、白熱灯用の熱線センサ付自動スイッチと、蛍光灯用の熱線センサ付自動スイッチとを別々に用意していた。そのため、熱線センサ付自動スイッチの品種が多くなり、各品種毎に設計作業を行う必要があるから、設計コストや製造コストが上昇する要因となっていた。
【０００４】
本発明は上記問題点に鑑みて為されたものであり、その目的とするところは、白熱灯と蛍光灯の両方を点灯可能な熱線センサ付自動スイッチを提供することにある。
【０００５】
【課題を解決するための手段】
上記目的を達成するために、請求項１の発明では、検知領域における人の存否を検出する人感センサ部と、周囲の明るさを検出する明るさセンサ部と、明るさセンサ部の検出した明るさが所定の点灯開始照度より暗い状態で、少なくとも人感センサ部が検出信号を発生すると照明負荷を所定の動作保持時間点灯させる制御信号を出力する制御回路部と、接続端子を介して商用電源及び照明負荷の直列回路が接続され制御信号に応じて照明負荷への電源供給をオン／オフする半導体開閉素子とを備え、半導体開閉素子は白熱灯又は蛍光灯点灯装置の内の何れでも点灯可能な負荷容量を有し、照明負荷として白熱灯と蛍光灯点灯装置の内の何れかが選択的に用いられ、制御回路部は、白熱灯が接続された場合には半導体開閉素子の導通角を制御して白熱灯を調光点灯させるとともに、蛍光灯点灯装置が接続された場合には半導体開閉素子を導通させて蛍光灯点灯装置へ電力供給することを特徴とする。
【０００６】
請求項２の発明では、請求項１の発明において、スイッチ本体の内部に半導体開閉素子に熱的に結合された放熱部材を収納し、スイッチ本体に放熱部材の一部を露出させる開口部を形成したことを特徴とする。
【０００７】
請求項３の発明では、請求項１の発明において、接続する照明負荷を白熱灯又は蛍光灯点灯装置の何れかに設定する負荷設定部をスイッチ本体に設け、負荷設定部の設定に応じて制御回路部が照明負荷の種類に応じた制御動作を行うことを特徴とする。
【０００８】
請求項４の発明では、請求項１の発明において、半導体開閉素子と並列にリレー接点を接続し、制御回路部は、白熱灯の調光点灯時にリレー接点を開極させると共に半導体開閉素子をオン／オフさせ、白熱灯の定格点灯時及び蛍光灯の点灯時にリレー接点を閉極させることを特徴とする。
【０００９】
請求項５の発明では、請求項１乃至請求項４の何れかの発明において、スイッチ本体と別体に形成された操作スイッチ本体を備え、スイッチ本体と操作スイッチ本体の内、少なくとも操作スイッチ本体に、動作保持時間及び点灯開始照度の設定部と、接続する照明負荷を白熱灯又は蛍光灯点灯装置の何れかに設定する負荷設定部と、制御回路部の動作モードを、各センサ部の出力に基づいて照明負荷の点灯状態を自動的に制御する自動モード、各センサ部の出力と無関係に照明負荷を強制的に消灯又は点灯させる切モード又は連続入モードの何れかに切り替える動作モード切替部とを設けたことを特徴とする。
【００１０】
請求項６の発明では、請求項５の発明において、スイッチ本体と操作スイッチ本体の両方に、動作保持時間及び点灯開始照度の設定部、負荷設定部、及び動作モード切替部をそれぞれ設けたことを特徴とする。
【００１１】
請求項７の発明では、請求項１乃至請求項６の何れかの発明において、上記蛍光灯点灯装置は、外部から入力される調光信号に応じて蛍光灯を調光点灯させる機能を有しており、照明負荷として蛍光灯点灯装置が接続された場合に、上記制御回路部が蛍光灯点灯装置に調光信号を出力することを特徴とする。
【００１２】
【発明の実施の形態】
本発明の実施の形態を図面に基づいて説明する。
【００１３】
（実施形態１）
本実施形態の熱線センサ付自動スイッチのブロック図を図１に、このスイッチを用いた照明システムの概略構成図を図３に示す。
【００１４】
熱線センサ付自動スイッチ１は、商用電源ＡＣを一対の電源線Ｌ１，Ｌ１を介して接続するための一対の電源端子Ｔ１，Ｔ１と、一対の負荷出力線Ｌ２，Ｌ２を介して照明負荷Ｌを接続するための一対の負荷端子Ｔ２，Ｔ２と、本実施形態の熱線センサ付自動スイッチ１を親器として１乃至複数台（本実施形態では例えば２台）の子器２，２を接続するための一対の子器端子Ｔ３，Ｔ３とを備えている。電源端子Ｔ１，Ｔ１の一方と負荷端子Ｔ２，Ｔ２の一方とは電気的に接続され、トライアックのような半導体開閉部１６（半導体開閉素子）が電源端子Ｔ１，Ｔ１の他方と負荷端子Ｔ２，Ｔ２の他方との間に挿入されており、半導体開閉部１６のオン／オフによって照明負荷がオン／オフされるようになっている。また、子器端子Ｔ３，Ｔ３間には後述する子器ライン信号検出回路１３が接続されている。尚、熱線センサ付自動スイッチ１の内部電源は、商用電源ＡＣを定電圧回路１７により整流、平滑することで供給されている。
【００１５】
ここで、マイクロコンピュータよりなる制御回路部１０には、焦電型赤外線センサからなり人体から放射される熱線を検出することによって検知領域における人の存否を検出する人感センサ部１１と、例えばＣｄＳからなり周囲の明るさを検出する明るさセンサ部１２と、子器端子Ｔ３，Ｔ３を介して子器２，２から入力される検知出力の有無を検出する子器ライン信号検出回路１３とが接続されており、人感センサ部１１、明るさセンサ部１２及び子器ライン信号検出回路１３の出力に基づいて半導体制御部１５に制御信号を出力し、半導体開閉部１６をオン／オフさせることで、照明負荷Ｌを制御している。尚、半導体制御部１５は商用電源ＡＣのゼロクロスを検出する機能を有しており、制御回路部１０から入力される制御信号に基づいて半導体開閉部１６の導通角を制御することによって、負荷に供給する電力を制御することができる。
【００１６】
子器２は、図２に示すように親器である熱線センサ付自動スイッチ１から供給された電圧を安定化して内部電源を生成する電圧供給部２ａと、焦電型赤外線センサからなり検知エリア内の人の存否を検出する人感センサ部２ｂと、人感センサ部２ｂが検知エリア内の人を検知したときに信号線Ｌ３，Ｌ３の線間電圧を変化させる検知電圧出力部２ｃとを備え、人感センサ部２ｂが検知領域において人を検知したときに、検知電圧出力部２ｃが信号線Ｌ３，Ｌ３の線間電圧を変化させることによって、親器である熱線センサ付自動スイッチ１に人の検知を報知できるようにしてある。すなわち、子器２での人の検知の有無に対応して信号線Ｌ３，Ｌ３の線間電圧が２段階に変化するのであって、この電圧変化による２値信号が熱線センサ付自動スイッチ１の子器ライン信号検出回路１３に入力されるのである。一方、子器ライン信号検出回路１３は、子器２に供給する電圧を出力する供給電圧出力部１３ａと、信号線Ｌ３，Ｌ３間の線間電圧を基準電圧と比較し、基準電圧との大小関係によって子器２での人の検知の有無を判定する検知信号判定部１３ｂとを備え、検知信号判定部１３ｂの判定結果を制御回路部１０に入力するのである。したがって、親器である熱線センサ付自動スイッチ１に子器２を接続すれば、親器（熱線センサ付自動スイッチ１）及び子器２に設けた人感センサ部１１，２ｂで人体から放射される熱線を検知することによって、照明負荷Ｌをオンオフさせることができるのである。尚、子器２の外観形状は親器である熱線センサ付自動スイッチ１とほぼ同じである。
【００１７】
また制御回路部１０には、人感センサ部１１により人から放射される熱線が検知された時などに点灯する発光ダイオードのような動作表示灯１４も接続され、さらに照明負荷の種類を白熱灯又は蛍光灯から選択するための負荷設定部１８と、人感センサ部１１による検知出力に応じて照明負荷を点灯させる際の周囲照度の規定値となる点灯開始照度を設定する明るさ設定部１９と、人感センサ部１１によって人が検知されなくなってから照明負荷を消灯させるまでの動作保持時間（照明負荷の点灯を保持する時間）を設定するための動作保持時間設定部２０と、動作モードをセンサの出力に基づいて照明負荷の状態を自動的に制御する「自動」モード、センサの出力に関係なく照明負荷を強制的に点灯／消灯させる「連続入」又は「切」モードに切り替えるための動作モード切替部２１と、人感センサ部１１の検知出力に関わりなく照明負荷Ｌを強制的に点灯させるお出迎え時間（１日のうちで照明負荷Ｌを点灯させる所望の時間帯であるお出迎え時間帯）を設定するためのお出迎え時間設定部２２と、商用電源ＡＣと照明負荷Ｌとの間に挿入されたいわゆる片切りの壁スイッチの操作部の瞬時連続操作（電源オフ操作から２秒以内にオン操作を行うような操作）の入力を有効にするか無効にするかを切り替えるための１−２操作機能有無設定部２３とが接続されている。
【００１８】
なお、お出迎え時間帯以外では、周囲が点灯開始照度よりも明るいときに瞬時連続操作が行われても瞬時連続操作は無効として扱われ、周囲が点灯開始照度よりも暗いときに瞬時連続操作が行われると、照明負荷Ｌを点灯させ、点灯開始後１５時間が経過すると自動的に操作前の状態に戻るようになっている。また、お出迎え時間帯では、周囲照度に関係なく瞬時連続操作が行われると、照明負荷Ｌを点灯させ、点灯開始から２時間経過後に周囲が点灯開始照度よりも明るければ自動的に操作前の状態に戻るようになっている。また、連続入モード若しくは切モードが選択されている場合には、瞬時連続操作は無効として扱われるようになっている。
【００１９】
ところで、上述の明るさ設定部１９としては制御回路部１０に可変抵抗器を接続してあり、図９（ｂ）に示すように可変抵抗器の操作部に被せた摘み１９ｂを回転させることで、点灯開始照度（規定値）を５〔ｌｘ〕〜２００〔ｌｘ〕の範囲で調節できるようになっている。また、動作保持時間設定部２０及び動作モード切替部２１としては、制御回路部１０に可変抵抗器およびスイッチを接続してあり、可変抵抗器の操作部に被せた摘み２０ｂを回転させることで動作保持時間を１０秒〜３０分の範囲で段階的（例えば１０秒、３０秒、１分、２分、３分、１５分、３０分）に調節することができ、この場合は自動モードが選択される。さらに摘み２０ｂを一方向に最後まで回転させることで照明負荷Ｌを常時オンさせる連続入モードを選択でき、反対方向に最後まで回転させることで照明負荷Ｌを常時オフさせる切モードを選択できるようになっている。従って、連続入モードを選択すれば照明負荷Ｌを連続点灯させることができ、施工後の配線確認作業が容易になる。また、切モードを選択すれば照明負荷Ｌの管球を交換する際の安全を確保することができる。
【００２０】
また、上述の負荷設定部１８としては制御回路部１０にスライドスイッチを接続してあり、負荷端子Ｔ２，Ｔ２に接続された照明負荷Ｌの種類（白熱灯又は蛍光灯）に応じてスライドスイッチの操作摘み１８ａを切り替えることで、制御回路部１０による制御動作を切り替えることができる（図９（ａ）参照）。
【００２１】
ここで、負荷設定部１８により照明負荷Ｌの種類が蛍光灯に切り替えられ、照明負荷Ｌとして蛍光灯点灯装置が接続されている場合の熱線センサ付自動スイッチ１の動作を図４（ａ）（ｂ）を参照して説明する。図４（ａ）は人感センサ部１１による人体検知の有無を、（ｂ）は照明負荷Ｌの状態（０％のときは消灯、１００％のときは定格点灯）をそれぞれ示している。
【００２２】
先ずお出迎え時間帯が設定されている場合について説明する。周囲が点灯開始照度よりも暗くなって（周囲照度が「暗」の状態）、お出迎え時間帯が開始されると、制御回路部１０は、人感センサ部１１の出力に関係なく、導通角が最大となるような制御信号を半導体制御部１５に出力して、半導体制御部１５により半導体開閉部１６をオンさせ、蛍光灯点灯装置に電力を供給して蛍光灯を点灯させる。その後、お出迎え時間帯が終了すると、制御回路部１０は半導体開閉部１６をオフさせる制御信号を半導体制御部１５に出力して、半導体開閉部１６をオフさせ、蛍光灯を消灯させる。
【００２３】
一方、お出迎え時間帯が設定されていない場合やお出迎え時間帯以外の時間帯では、周囲が点灯開始照度よりも暗い状態で人感センサ部１１により人体が検知されると、制御回路部１０は、導通角が最大となるような制御信号を半導体制御部１５に出力して、半導体制御部１５により半導体開閉部１６をオンさせ、蛍光灯点灯装置に電力を供給して蛍光灯を点灯させる。そして、人体検知時から所定の動作保持時間が経過すると、制御回路部１０は半導体開閉部１６をオフさせる制御信号を半導体制御部１５に出力して、半導体開閉部１６をオフさせ、蛍光灯を消灯させる。尚、図示は省略するが、動作保持時間中に人感センサ部１１が人の動きを検出したときには動作保持時間が延長され、最後に人を検知してから動作保持時間が経過した後に照明負荷Ｌを消灯させるようになっている。また、周囲が点灯開始照度よりも明るい状態では人感センサ部１１により人体が検知されても照明負荷Ｌは点灯しない（つまり、制御回路部１０が半導体制御部１５の動作を禁止する）。
【００２４】
次に、負荷設定部１８により照明負荷Ｌの種類が白熱灯に切り替えられ、照明負荷Ｌとして白熱灯が接続されている場合の熱線センサ付自動スイッチ１の動作を図５（ａ）（ｂ）を参照して説明する。図５（ａ）は人感センサ部１１による人体検知の有無を、（ｂ）は照明負荷Ｌの状態（０％のときは消灯、１０％，３０％のときは定格点灯時の１０％，３０％の光出力となるように調光点灯され、１００％のときは定格点灯される）をそれぞれ示している。
【００２５】
先ず、お出迎え時間帯が設定されている場合について説明する。周囲が点灯開始照度よりも暗くなって（周囲照度が「暗」の状態）、お出迎え時間帯が開始されると、制御回路部１０は、人感センサ部１１の出力に関係なく、所定の導通角でオンするような制御信号を半導体制御部１５に出力して、半導体開閉部１６の導通角を制御し、照明負荷Ｌを例えば１０％で調光点灯する。そして、人感センサ部１１により人が検知されると、制御回路部１０は、半導体制御部１５を用いて半導体開閉部１６の導通角を変化させ、照明負荷Ｌを定格点灯させる。その後、動作保持時間が終了すると、制御回路部１０は、半導体制御部１５を用いて半導体開閉部１６の導通角を変化させ、照明負荷Ｌの光出力を１０％に低下させ、お出迎え時間が終了すると照明負荷Ｌを消灯させていた。
【００２６】
また、お出迎え時間帯が設定されていない場合やお出迎え時間帯以外の時間帯では、周囲が点灯開始照度よりも暗い状態で人感センサ部１１により人体が検知されると、制御回路部１０は、半導体制御部１５を用いて半導体開閉部１６の導通角を大きくして、照明負荷Ｌを定格点灯させる。そして、動作保持時間の途中（動作保持時間が終了する約６秒前の時点）で、制御回路部１０は、半導体制御部１５を用いて半導体開閉部１６の導通角を変化させ、照明負荷Ｌの光出力を例えば３０％に低下させることによって消灯が近づいた予告を行う（以下、予告減光という）。その後、動作保持時間が終了すると、制御回路部１０は、半導体制御部１５により半導体開閉部１６をオフさせて、照明負荷Ｌを点灯させる。尚、図示は省略するが、動作保持時間中に人感センサ部１１が人の動きを検出したときには動作保持時間が延長されるようになっている。また、周囲が点灯開始照度よりも明るい状態（周囲照度が「明」の状態）では人感センサ部１１により人体が検知されても照明負荷は点灯しない。なお、予告減光中に人感センサ部１１により人が検知されたときには、再び定格点灯状態に移行するようになっている。
【００２７】
ところで、上述したお出迎え時間帯の開始時間は、明るさセンサ部１２の検出した周囲の明るさが、点灯開始照度設定部８で設定された点灯開始照度よりも暗くなる時間で決定される。またお出迎え時間帯の終了時間は、お出迎え時間設定部２２の設定をもとに制御回路部１０が所定の演算を行って求めるようになっている。ここに、お出迎え時間設定部２２により設定されるお出迎え設定時間をＴｓ（Ｔｓは８時間〜１８時間を連続可変できる）、明るさセンサ部１２による検出照度と点灯開始照度との明／暗判定から計時された昼時間をＴｄａｙ、昼時間Ｔｄａｙから図６に示すグラフを用いて算出される補正値をＴａとすると、お出迎え時間ＴはＴ＝Ｔｓ−Ｔａの演算式により求められ、その演算結果が０以下の場合にはお出迎え機能は切りとなって上述のお出迎え時間以外の動作が行われる。
【００２８】
ここにおいて、昼時間Ｔｄａｙと補正値Ｔａとの関係は図６に示すグラフのような関係にあり、例えば、夏において５時〜１９時の間の周囲照度が点灯開始照度よりも明るかったとすると昼時間Ｔｄａｙは１４時間となり、補正値Ｔａは図６のグラフから分かるように７時間となるから、図９（ａ）に示すようにお出迎え時間設定部２２の摘み２２ｂを「切」、「夜まで」、「深夜まで」、「朝まで」という表記のうち「深夜まで」と表記されている位置まで回転させてお出迎え設定時間Ｔｓが１２時間であったとすれば、お出迎え時間Ｔは、Ｔ＝Ｔｓ−Ｔａ＝１２−７＝５（時間）となる。したがって、１９時に周囲照度が点灯開始照度よりも暗くなってから５時間後の２４時にお出迎え時間（お出迎え時間帯）が終了することになる。
【００２９】
また、冬において７時〜１７時の間の周囲照度が点灯開始照度よりも明るかったとすると昼時間Ｔｄａｙは１０時間となり、補正値Ｔａは図６のグラフから分かるように５時間となるから、お出迎え時間設定部２２の摘み２２ｂを「切」、「夜まで」、「深夜まで」、「朝まで」という表記のうち「深夜まで」と表記されている位置まで回転させてお出迎え設定時間Ｔｓが１２時間であったとすれば、お出迎え時間Ｔは、Ｔ＝Ｔｓ−Ｔａ＝１２−５＝７（時間）となる。したがって、１７時に周囲が点灯開始照度よりも暗くなってから７時間後の２４時にお出迎え時間（お出迎え時間帯）が終了することになる。要するに、お出迎え時間設定部２２によるお出迎え設定時間Ｔｓを同じ値にしておけば季節に関わらず同じ位の時刻にお出迎え時間帯を終了させることが可能になる。尚、上述の動作表示灯１４は、人感センサ部１１の検知出力に同期して点灯し、照明負荷Ｌの連続点灯時には連続点灯し、電源投入後約４０秒間は点滅するように制御回路部１０によって制御されるようになっている。
【００３０】
次に、この熱線センサ付自動スイッチ１の機構的構成について説明すると、このスイッチ１は、例えば天井に取付可能な構造を有しており、図７及び図８に示すように、ボディ３０、カバー４０、端子カバー４５、プレート５０、１対の挟み金具６０、回転体７０、支持部材８０、制御系プリント基板９１及び電源系基板９２などから構成されている。
【００３１】
ボディ３０は、窓孔３２が中央に形成され１対の保持溝３３が両側にそれぞれ形成されている円状のフランジ部３１と、フランジ部３１の上面中央に一体成形された筒部３４とで構成される。筒部３４の上縁には４個の係合突片３５が上向きに突設され、各係合突片３５にはそれぞれ組立孔３６が開口している。尚、フランジ部３１には、後述する挟み金具６０の引締めねじ６３をそれぞれ露出させるだるま孔状の２個の操作孔３８が各対の保持溝３３の間に形成されている。
【００３２】
挟み金具６０は、１対の保持溝３３にそれぞれ係合する１対の係合突片６２が下端に形成され、一方に開口する縦長箱状の支柱６１と、支柱６１の上壁及び底壁に上下端がそれぞれ挿通されて支柱６１に回動自在に保持される引締めねじ６３と、この引締めねじに螺合する挟み片６４とで構成される。この挟み片６４は、引締めねじ６３を回すことで、支柱６１の上部側壁に設けた切欠部６５から出て支柱６１の開口面に沿って下降するようになっている。従って、各挟み金具６０の挟み片６４を切欠部６５内に待避させた状態で、１対の係合突片６２をフランジ部３１の１対の保持溝３３にそれぞれ係合させて、各挟み金具６０をボディ３０に着脱可能に取り付け、次いで各挟み金具６０及び筒部３４を図略の天井のボードに形成された取付孔に挿通した後、フランジ部３１の操作孔３８から露出する引締めねじ６３を回すことで挟み片６４を下降させれば、上記取付孔の周部近傍のボード上下面にそれぞれ挟み片６４の先端部下面及びフランジ部３１の上面が当接（圧接）して、ボディ３０が天井に取り付けられることになる。尚、フランジ部３１には、天井内に配置された埋込ボックスに螺合するボックスねじや、天井にスイッチ本体を直付けする際に用いるタッピンねじを挿通するための２個の取付孔３９が両側にそれぞれ形成されている。
【００３３】
プレート５０は、窓孔３２に対応する丸孔５１を中央部に有し、フランジ部３１に係合して保持され、化粧カバーとして機能するものである。
【００３４】
回転体７０は、軸部７２が両端に突設されている半球状の回転枠７１と、回転枠７１の前面側（図７では下側）に結合して窓部となる半球状のレンズ（例えばフレネルレンズよりなる多焦点レンズ）７３と、人感センサ部１１、明るさセンサ部１２及び動作表示灯１４が下面に実装され回転枠７１及びレンズ７３の内部に収納される検出系プリント基板７４と、回転枠７１及びレンズ７３の結合部分に取り付けられるリング状の保持枠７５とで構成される。つまり、回転体７０において人感センサ部１１の受光面の前面側にはレンズ７３が取り付けられており、レンズ７３を通して人感センサ部１１に熱線が入射するようになっている。レンズ７３は赤外線が透過しやすいように高密度ポリエチレン樹脂を用いて構成されている。また明るさセンサ部１２によって周囲照度が検出でき、しかも動作表示灯１４の点灯が外部から視認可能となるように、レンズ７３は乳白色に形成されている。また、レンズ７３は多数のレンズの集合体であり、方向に応じて人感センサ部１１の集光量に変化を持たせることで、熱線を放射する熱源（人体）の微小移動を熱線量の変化として検出することができるようになっている。したがって、人が存在する間は人感センサ部１１から絶えず出力を得ることが可能になっている。
【００３５】
支持部材８０は、押え金具８１と、押え金具８１にばね８２を介して取り付けられる支持棒８３と、２個のねじ８４とで構成され、回転体７０をボディ３０に回動自在に固定するためのものである。すなわち、回転枠７１の各軸部７２を窓孔３２の周部に形成された下端側から上方に伸びるガイド溝３７に挿入し、次いで２個のねじ８４を用いて、ばね８２を介して支持棒８３が取り付けられた押え金具８１をボディ３０にねじ止めすれば、回転体７０の上部が支持棒８３により弾性的に押接され、回転体７０がボディ３０に回動自在に取り付けられることになる。
【００３６】
制御系プリント基板９１は、リード線９７を介して検出系プリント基板７４と電気的に接続されている一方、電源系基板９２とも電気的に接続されている。
【００３７】
電源系基板９２は、基板９３と、基板９３に実装されて上述した端子Ｔ１〜Ｔ３に対応する３対のコ字状の端子板９４と、これら３対の端子板９４内にそれぞれ保持される３対の錠ばね９５と、各対の錠ばね９５間に介在する釦９６とで構成されている。電源系基板９２には半導体開閉部１６を構成するトライアックＴＲＣが実装されており、このトライアックＴＲＣには放熱板９８が熱的に結合されている。尚、トライアックＴＲＣと放熱板９８とは電気的に絶縁されている。ここにおいて、各対の端子板９４と錠ばね９５とで上述した電源端子Ｔ１，Ｔ１、負荷端子Ｔ２，Ｔ２、子器端子Ｔ３，Ｔ３が構成されている。
【００３８】
一方、カバー４０は、筒部３４の開口部を閉塞可能な箱状に形成され、その側壁部には各係合突片３５の組立孔３６とそれぞれ係合する係合突起４１が形成されており、係合突起４１と組立孔３６とを係合させることによって、ボディ３０とカバー４０とが結合される。またカバー４０上面の一側には、各錠ばね９５に対応する部位に電線挿入孔４２が形成されており、各対の電線挿入孔４２間近傍には治具挿入孔４３が形成されている。またカバー４０上面の他側には、放熱板９８の上片９８ａに突設した４個の突部９８ｂとそれぞれ嵌合して、突部９８ｂの上面を露出させる４個の窓孔４４が貫設されている。
【００３９】
従って、レンズ７３を窓孔３２から露出させる形で回動自在にボディ３０に取り付けられた回転体７０の上側に制御系プリント基板９１及び電源系基板９２が位置するようにして、各係合突起４１を対応する係合突片３５の組立孔３６と係合させれば、筒部３４の開口部がカバー４０によって閉塞されて、ボディ３０及びカバー４０によって制御系プリント基板９１及び電源系基板９２が収納されるとともに、放熱板９８の突部９８ｂが窓孔４４から外側に露出される。また、電線を電線挿入孔４２に挿入すれば、これに対応する端子板９４とこれに弾性接触する錠ばね９５との間にその電線が弾性挟持され、かつ錠ばね９５の端縁が電線に食い込むことによって外部電線が抜け止めされる。さらに、治具挿入孔４３にマイナスドライバの先端部等を挿入すれば、釦９６が錠ばね９５を押接して鎖錠状態を解除し電線の引抜きが可能になる。なお、カバー４０には、各電線挿入孔４２を覆うようにして端子カバー４５が着脱自在に取り付けられるようになっている。このように、組立状態において半導体開閉素子たるトライアックＴＲＣに熱的に結合された放熱板９８（放熱部材）の一部をスイッチ本体に設けた開口部としての窓孔４４から露出させているので、放熱効果を高めて負荷容量を大きくでき、蛍光灯を点灯できる従来品と同等の負荷容量（約３Ａ）とすることができ、したがって１台の熱線センサ付自動スイッチ１で白熱灯を調光点灯させるとともに、蛍光灯点灯装置を点灯させることができる。
【００４０】
尚、上述した負荷設定部１８、明るさ設定部１９、動作保持時間設定部２０、お出迎え時間設定部２２、及び１−２操作機能有無設定部２３の操作部１８ａ，１９ａ，２０ａ，２２ａ，２３ａは図８に示すように、フランジ部３１の下面に露出するようになっており、これらの操作部１８ａ，１９ａ，２０ａ，２２ａ，２３ａはフランジ部３１の下面側に取り付けられるプレート５０によって覆われている。尚、動作保持時間設定部２０の操作部２０ａで、動作モード切替部２１の操作部を兼用している。
【００４１】
また、図９（ａ）（ｂ）に示すように、フランジ部３１の下面には操作部１８ａ，２２ａ，２３ａの配設された部位に銘板８５が、操作部１９ａ，２０ａの配設された部位に銘板８６がそれぞれ貼り付けられており、銘板８５には操作部２２ａに被せた摘み２２ｂの周りに「切」、「夜まで」、「深夜まで」、「朝まで」という表記が記されている。また銘板８６には操作部１９ａに被せた摘み１９ｂの周りに「暗め」「お出迎えでおすすめ」「明るめ」という表記が記され、操作部２０ａに被せた摘み２０ｂの周りに「切」「１０秒」「３０秒」「１分」「３分」「１５分」「３０分」「連続入」という表記が記されている。
【００４２】
以上説明したように、本実施形態の熱線センサ付自動スイッチ１では、半導体開閉部１６として白熱灯又は蛍光灯点灯装置の内の何れでも点灯可能な負荷容量を有するものを用い、負荷設定部１８を用いて接続される照明負荷Ｌの種類を設定しており、制御回路部１０は、照明負荷Ｌの種類に応じて半導体開閉部１６の制御を切り替えているので、１台のスイッチで蛍光灯と白熱灯の両方に対応して、蛍光灯と白熱灯の両方を点灯させることができ、スイッチの品種を減らして、設計コストなどを削減できる。
【００４３】
また、本実施形態の熱線センサ付自動スイッチ１は、スイッチ本体に負荷設定部１８、明るさ設定部１９、動作保持時間設定部２０、及び動作モード切替部２１をそれぞれ設けているので、スイッチ本体で各種の設定作業を行うことができる。
【００４４】
また、本実施形態の熱線センサ付自動スイッチ１は、照明負荷Ｌの状態を照明負荷Ｌから離れた場所で切り替えるために電源端子Ｔ１，Ｔ１と照明負荷Ｌとの間に、連続入モード、切モード、動作保持時間などの各種設定を行う専用操作ユニット（図示せず）を接続可能となっており、熱線センサ付自動スイッチ１から離れた場所でも連続入モード、切モード、動作保持時間などの各種設定を行うことができるようになっている。
【００４５】
（実施形態２）
本実施形態の熱線センサ付自動スイッチのブロック図を図１０に、要部を示す詳細なブロック図を図１１に夫々示す。
【００４６】
本実施形態では、上述した実施形態１の熱線センサ付自動スイッチにおいて、半導体開閉部１６と並列にラッチングリレーからなるリレー開閉部２５を接続し、制御回路部１０から入力される制御信号に応じてリレー制御部２４がリレー開閉部２５をオン／オフさせている。そして、制御回路部１０では、白熱灯の調光点灯時にリレー開閉部をオフ（開極）させるとともに、半導体開閉部１６をオン／オフさせ、さらに白熱灯の定格点灯時及び蛍光灯点灯時にリレー開閉部２５をオン（閉極）させている。尚、リレー制御部２４およびリレー開閉部２５以外の構成は実施形態１と同様であるので、同一の構成要素には同一の符号を付して、その説明は省略し、本実施形態の特徴となる部分のみを説明する。
【００４７】
ここで、本実施形態の動作を図１２〜図１４に基づいて説明する。尚、以下の説明ではお出迎え時間帯が設定されている場合について説明する。
【００４８】
先ず、負荷設定部１８により照明負荷Ｌの種類が白熱灯に切り替えられている場合の動作を図１２を参照して説明する。図１２の（ａ）は制御回路部１０のＳＥＴ１信号、（ｂ）はＳＥＴ２信号、（ｃ）はＲＥＳＥＴ信号、（ｄ）は半導体開閉部１６のオン／オフ状態、（ｅ）はリレー開閉部２５のオン／オフ状態をそれぞれ示している。
【００４９】
時刻ｔ１において周囲が点灯開始照度よりも暗くなると、お出迎え時間帯が開始されて、制御回路部１０が半導体制御部１５にＳＥＴ１信号を出力し、半導体制御部１５が、商用電源ＡＣのゼロクロスを検出して、半導体開閉部１６を所定の導通角でオン／オフさせ、白熱灯を例えば１０％の光出力（お出迎え点灯状態）で調光点灯させる。そして、時刻ｔ２において人感センサ部１１により人体が検知されると、制御回路部１０は、リレー制御部２４にＳＥＴ２信号を出力して、リレー制御部２４によりリレー開閉部２５をオン状態にセットし、白熱灯を定格点灯させた後、ＳＥＴ１信号の出力を停止して半導体開閉部１６をオフさせる。その後、人体検知時から所定の動作保持時間が経過する直前の時刻ｔ３において、制御回路部１０は半導体制御部１５にＳＥＴ１信号を出力して、半導体制御部１５により半導体開閉部１６を所定の導通角でオン／オフさせた後、リレー制御部２４にＲＥＳＥＴ信号を出力して、リレー制御部２４によりリレー開閉部２５をオフ状態にセットし（時刻ｔ４）、白熱灯を１０％の光出力で調光点灯させる。
【００５０】
次に、負荷設定部１８により照明負荷Ｌの種類が蛍光灯に切り替えられている場合の動作を図１３及び図１４を参照して説明する。尚、図１３は蛍光灯を消灯状態から点灯状態に切り替える場合の動作を示し、（ａ）はＳＥＴ１信号を、（ｂ）はＳＥＴ２信号を、（ｃ）は半導体制御部の動作状態を、（ｄ）は半導体開閉部のオン／オフ状態を、（ｅ）はリレー開閉部のオン／オフ状態をそれぞれ示している。また、図１４は蛍光灯を点灯状態から消灯状態に切り替える場合の動作を示し、（ａ）はＳＥＴ１信号を、（ｂ）はＲＥＳＥＴ信号を、（ｃ）は半導体制御部の動作状態を、（ｄ）は半導体開閉部のオン／オフ状態を、（ｅ）はリレー開閉部のオン／オフ状態をそれぞれ示している。
【００５１】
先ず、蛍光灯を消灯状態から点灯状態に切り替える動作を図１３に基づいて説明する。時刻ｔ１１において周囲が点灯開始照度よりも暗くなると、お出迎え時間帯が開始され、制御回路部１０が半導体制御部１５及びリレー制御部２４にＳＥＴ１信号、ＳＥＴ２信号をそれぞれ出力する。この時、半導体制御部１５では、ＳＥＴ１信号が入力されてからゼロクロスを初めて検出した後に半導体開閉部１６を所定の導通角でオンさせて、蛍光灯を定格点灯させる（時刻ｔ１２）。また、リレー制御部２４はオンディレー機能を有しており、ＳＥＴ２信号が入力されてから一定時間が経過した時刻ｔ１３において、リレー開閉部２５をオンさせる。このように、制御回路部１０は、半導体開閉部１６を所定の導通角でオン／オフさせた後、リレー開閉部２５をオンさせているので、蛍光灯点灯装置に突入電流が流れ込むのを防止できる。また、リレー開閉部２５がオンした後の時刻ｔ１４において、ＳＥＴ１信号の出力を停止して、半導体開閉部１６をオフさせており、リレー開閉部２５を介して電力供給しているので、半導体開閉部１６を介して電力供給する場合に比べて発熱を小さくできる。
【００５２】
次に、蛍光灯を点灯状態から消灯状態に切り替える動作を図１４に基づいて説明する。時刻ｔ１５において周囲が点灯開始照度よりも明るくなると、お出迎え時間帯が終了し、制御回路部１０は、半導体制御部１５及びリレー制御部２４にＳＥＴ１信号、ＲＥＳＥＴ信号をそれぞれ出力する。この時、半導体制御部１５では、ＳＥＴ１信号が入力されると即座に半導体開閉部１６をオンさせ、半導体開閉部１６を所定の導通角でオン／オフさせる。また、リレー制御部２４はオフディレー機能を有しており、ＲＥＳＥＴ信号が入力されてから一定時間が経過した時刻ｔ１６において、リレー開閉部２５をオフさせる。このように、制御回路部１０は、半導体開閉部１６をオンさせた後、リレー開閉部２５をオフさせており、リレー開閉部２５がオフした後の時刻ｔ１７において、ＳＥＴ１信号の出力を停止して、半導体開閉部１６をオフさせる。すなわち、蛍光灯の消灯時には、先ず半導体開閉部１６をオンさせてから、リレー開閉部２５をオフさせた後、半導体開閉部１６をオフさせているので、消灯時に発生するノイズを小さくできる。
【００５３】
以上説明したように本実施形態では、半導体開閉部１６と並列にリレー開閉部２５を接続しており、白熱灯の定格点灯時および蛍光灯の点灯時にはリレー開閉部２５を閉極して、半導体開閉部１６をオフさせており、位相制御を行わない場合にはリレー開閉部２５を介して照明負荷Ｌに電力供給することで、半導体開閉部１６の発熱を抑えることができ、負荷容量を大きくできる。
【００５４】
（実施形態３）
本実施形態の熱線センサ付自動スイッチのブロック図を図１５に、システム構成図を図１６に夫々示す。
【００５５】
上述した実施形態１の熱線センサ付自動スイッチ１では、明るさ設定部１９の操作部１９ａと、動作保持時間設定部２０及び動作モード切替部２１の操作部２０ａとをスイッチ本体のみに設けているのに対して、本実施形態では、親器である熱線センサ付自動スイッチ１に信号線Ｌ４，Ｌ４を介して接続され、例えば壁面のような造営面に設置される壁操作スイッチ３（操作スイッチ本体）にも、手動で照明負荷Ｌを入／切するための入／切スイッチＳＷ１と、動作保持時間を設定するためのタイマ設定スイッチＳＷ２と、点灯開始照度を設定するための明るさ設定スイッチＳＷ３とを設けており、壁操作スイッチ３と熱線センサ付自動スイッチ１のスイッチ本体の両方で設定作業を行えるようにしている。尚、壁操作スイッチ３以外の構成は実施形態１と同様であるので、同一の構成要素には同一の符号を付して、その説明は省略する。
【００５６】
壁操作スイッチ３の内部電源は、親器である熱線センサ付自動スイッチ１の供給電圧出力部２７ａから供給された電圧を安定化することによって供給されており、上述のスイッチＳＷ１〜ＳＷ３の設定操作に応じて、設定信号出力部３ｃが信号線Ｌ４，Ｌ４の線間電圧を変化させている。このように、壁操作スイッチ３では、各スイッチＳＷ１〜ＳＷ３の設定操作に応じて信号線Ｌ４，Ｌ４間の線間電圧を変化させており、この変化による信号が熱線センサ付自動スイッチ１の設定信号判定部２７ｂに入力されるのである。而して、設定信号判定部２７ｂでは、信号線Ｌ４，Ｌ４間の線間電圧の変化やその回数を検出することで、各スイッチＳＷ１〜ＳＷ３による設定内容を判定し、その判定結果を制御回路部１０に出力しているので、スイッチ本体と離れた場所に設置された壁操作スイッチ３により各種の設定を行うことができる。尚、本実施形態ではスイッチＳＷ１〜ＳＷ３の操作によって、照明負荷Ｌを手動で入切したり、動作保持時間や点灯開始照度の設定を行うことができるが、照明負荷を切り替えるためのスイッチを設けても良く、離れた場所から各種の設定を行うことができる。
【００５７】
また、壁操作スイッチ３は、信号線Ｌ４，Ｌ４間の線間電圧から熱線センサ付自動スイッチ１の動作モード（自動モード、連続入モード、又は切モードの何れか）を判定する供給電圧判定部３ａと、動作モードを点灯表示するための３個の発光ダイオードＬＤ１〜ＬＤ３を有し、供給電圧判定部３ａの判定結果をもとにＬＥＤ駆動部３ｂが何れかの発光ダイオードＬＤ１〜ＬＤ３を点灯させることで、熱線センサ付自動スイッチ１の現在の動作モードを発光表示している。尚、本実施形態では信号線Ｌ４，Ｌ４間の線間電圧を変化させることで、各スイッチＳＷ１〜ＳＷ３による設定信号を壁操作スイッチ３から熱線センサ付自動スイッチ１に出力しているが、壁操作スイッチ３と熱線センサ付自動スイッチ１との間の信号伝送方式を、線間電圧を変化させる伝送方式に限定する趣旨のものではなく、適宜の方法で信号伝送を行うようにすれば良い。
【００５８】
次に壁操作スイッチ３の機構的構成について図１７を参照して説明する。壁操作スイッチ３の器体は直方体状であって、ともに合成樹脂成形品である前面開口したボディ１０１と、ボディ１０１の前面側に結合される後面開口したカバー１０２とにより形成されている。この器体は、埋込型の配線器具の施工時に用いる大角形連用配線器具の１連用の取付枠（ＪＩＳ　Ｃ８３７５参照）に最大３個まで取り付けることができる１個モジュール寸法の配線器具の略３倍の大きさであって、取付枠に１個だけ取着可能な寸法に形成されている。つまり、器体の短手方向の寸法は取付枠の窓孔の短手方向の寸法に略等しく、且つ、長手方向の寸法は取付枠の窓孔の長手方向の寸法に略等しく設定してあり、この器体の寸法は、「３個モジュール寸法」と呼ばれている。
【００５９】
カバー１０２の前面には、取付枠の窓孔内に挿入されるボス部１０３が形成され、ボス部１０３の両側に設けた段部１０４，１０４には、金属製の取付枠に設けた爪が嵌合する嵌合孔１０５が２個ずつ開口している。また、各段部１０４の側縁からは、合成樹脂製の取付枠に設けた取付孔に係合可能な取付爪１０６が２対ずつ形成してあり、これら嵌合孔１０５又は取付爪１０６の何れかを用いて金属製の取付枠又は合成樹脂製の取付枠の何れにも取付可能となっている。
【００６０】
ボディ１０１とカバー１０２とからなる器体の内部には、上述した３個のスイッチＳＷ１〜ＳＷ３と、設定状態を表示するための３個の発光ダイオードＬＤ１〜ＬＤ３とが実装されたプリント基板１０７が収納される。またボディ１０１の内部は隔壁によって仕切られ、複数の端子収納室１０１ａが形成されており、各端子収納室にはプリント基板１０７の裏面に実装された端子板（図示せず）と、端子板との間で電線を保持する一対の錠ばね１０８と、端子板と一対の錠ばね１０８との間の電線接続状態を同時に解除する解除釦１０９とで構成される速結端子が納装されている。
【００６１】
また、ボス部１０３の前面には、ボス部１０３の前面よりも一段低くなった凹所１０３ａが形成されており、この凹所１０３ａの底面には各スイッチＳＷ１〜ＳＷ３の操作部１１０を露出させる３個の丸孔１１１と、発光ダイオードＬＤ１〜ＬＤ３の発光面を露出させる３個の角孔１１２が形成されている。
【００６２】
また、ボス部１０３には、凹所１０３ａを覆う矩形板状の扉１１３が開閉自在に取り付けられる。扉１１３は合成樹脂製であって、発光ダイオードＬＤ１〜ＬＤ３の発光面に対向する部位に透光部１１４ａ〜１１４ｃが形成されており、各透光部１１４ａ〜１１４ｃの側方には「自動」「連続入」「切」という表示が記されている（図１６（ｂ）参照）。そして、扉１１３に設けた軸１１３ａを、凹所１０３ａの端面に設けた軸受孔１０３ｂに軸支させることによって、扉１１３がカバー１０２に対して回動自在に取り付けられるのである。
【００６３】
而して、扉１１３を開けると各スイッチＳＷ１〜ＳＷ３の操作部１１０が露出するので、操作部１１０を操作して設定作業を行うことができ、また設定時以外は扉１１３を閉じておくことで、操作部１１０が誤って操作されるのを防止できる。また、扉１１３を閉じた状態でも、発光ダイオードＬＤ１〜ＬＤ３の発光を透光部１１４ａ〜１１３ｃを通して外部から視認することができるので、現在の設定状態を容易に確認することができる。
【００６４】
このように、熱線センサ付自動スイッチ１のスイッチ本体とは別体に形成された壁操作スイッチ３（操作スイッチ本体）に、動作保持時間及び点灯開始照度の設定部１９，２０や負荷設定部１８や動作モード切替部２１が設けられているので、壁操作スイッチ３により遠隔から設定作業を行える。さらに、スイッチ本体の設置場所は、人感センサ部１１の検知領域によって決められてしまうが、壁操作スイッチ３は所望の場所に設置して使用できるため、設定作業を所望の場所から行える。
【００６５】
尚、本実施形態では実施形態１の熱線センサ付自動スイッチ１において壁操作スイッチ３を設けているが、実施形態２の熱線センサ付自動スイッチ１において壁操作スイッチ３を設けても良い。また、壁操作スイッチ３とスイッチ本体の両方に、動作保持時間及び点灯開始照度の設定部１９，２０や負荷設定部１８や動作モード切替部２１を設けているが、壁操作スイッチ３のみに動作保持時間及び点灯開始照度の設定部１９，２０や負荷設定部１８や動作モード切替部２１を設けるようにしても良く、スイッチ本体の設定部や切替部をなくすことでスイッチ本体の小型化やコストダウンが図れる。
【００６６】
（実施形態４）
本実施形態の熱線センサ付自動スイッチのブロック図を図１８に、システム構成図を図１９に夫々示す。
【００６７】
本実施形態では、実施形態１の熱線センサ付自動スイッチ１において、調光機能を有する蛍光灯点灯装置に調光信号端子Ｔ４，Ｔ４を介して、例えば０〜１０Ｖの電圧信号又はデューティ比信号からなる調光信号を出力する調光信号制御部２８を設けている。尚、調光信号制御部２８以外の構成は実施形態１と同様であるので同一の構成要素には同一の符号を付して、その説明は省略する。また、図中の２９は上述した半導体制御部１５と半導体開閉部１６とで構成される負荷開閉部である。
【００６８】
ここで、照明負荷Ｌとして調光機能を有する蛍光灯点灯装置が接続され、お出迎え時間帯が設定されている場合の動作を図２０に基づいて説明する。尚、図２０の（ａ）は周囲照度を、（ｂ）は人感センサ部１１の検知信号を、（ｃ）は調光信号制御部２８の出力を、（ｄ）は照明負荷Ｌの状態（０％のときは消灯、１０％のときは定格点灯時の１０％の光出力となるように調光点灯され、１００％のときは定格点灯される）をそれぞれ示している。
【００６９】
時刻ｔ２０〜ｔ２１では、明るさセンサ部１２の検出した周囲の明るさが点灯開始照度よりも明るいため（周囲照度が「明」の状態）、人感センサ部１１が人を検知しても、制御回路部１０から半導体制御部１５には制御信号が出力されず、照明負荷Ｌは点灯しない。
【００７０】
一方、時刻ｔ２１において、明るさセンサ部１２の検出した周囲の明るさが点灯開始照度よりも暗くなって（周囲照度が「暗」の状態）、お出迎え時間帯が開始されると、制御回路部１０は、人感センサ部１１の出力に関係なく、負荷開閉部２９を構成する半導体制御部１５に制御信号を出力して、半導体開閉部１６をオン／オフさせて、蛍光灯点灯装置に電力供給を開始すると共に、調光信号制御部２８から１０％の調光信号を出力させており、この調光信号を受けて蛍光灯点灯装置４では蛍光灯を１０％の光出力で調光点灯させる。そして、お出迎え時間帯において人感センサ部１１により人が検知されると、制御回路部１０は、動作保持時間が経過するまでの間、調光信号制御部２８から１００％の調光信号を出力させて、蛍光灯点灯装置４により蛍光灯を定格点灯させる。そして、動作保持時間が終了すると、制御回路部１０は、調光信号制御部２８から１０％の調光信号させて、蛍光灯点灯装置４により蛍光灯の光出力を１０％に低下させ、お出迎え時間帯が終了すると、負荷開閉部２９により蛍光灯点灯装置４への電力供給をオフして、蛍光灯点灯装置４を消灯させる。尚、照明負荷Ｌとして調光機能を持たない蛍光灯点灯装置や白熱灯が接続された場合の動作は実施形態１と同様であるので、その説明は省略する。
【００７１】
このように本実施形態では、制御回路部１０が調光信号制御部２８により蛍光灯点灯装置に調光信号を出力させているので、蛍光灯点灯装置に調光信号を出力することで、蛍光灯を調光制御することができる。また、制御回路部１０はお出迎え時間帯に人感センサ部１１による検知の有無に関係なく蛍光灯を調光点灯させ、人感センサ部１１が人を検知すると、所定の動作保持時間の間だけ蛍光灯を定格点灯させており、お出迎え時間帯に蛍光灯を定格点灯させる場合に比べて電力消費を低減できる。
【００７２】
尚、上述した各実施形態では熱線センサ付自動スイッチ１として屋内の天井に取り付けられる構造を有するものを例に説明を行ったが、熱線センサ付自動スイッチ１の構造を上記のものに限定する趣旨のものではなく、屋内の壁に取り付けて使用する壁取付形のものや、軒下に取り付けられる軒下取付形のものや、勝手口、外玄関、ポーチなどの壁に取り付けて使用する屋側取付形のものでも良い。
【００７３】
【発明の効果】
上述のように、請求項１の発明は、検知領域における人の存否を検出する人感センサ部と、周囲の明るさを検出する明るさセンサ部と、明るさセンサ部の検出した明るさが所定の点灯開始照度より暗い状態で、少なくとも人感センサ部が検出信号を発生すると照明負荷を所定の動作保持時間点灯させる制御信号を出力する制御回路部と、接続端子を介して商用電源及び照明負荷の直列回路が接続され制御信号に応じて照明負荷への電源供給をオン／オフする半導体開閉素子とを備え、半導体開閉素子は白熱灯又は蛍光灯点灯装置の内の何れでも点灯可能な負荷容量を有し、照明負荷として白熱灯と蛍光灯点灯装置の内の何れかが選択的に用いられ、制御回路部は、白熱灯が接続された場合には半導体開閉素子の導通角を制御して白熱灯を調光点灯させるとともに、蛍光灯点灯装置が接続された場合には半導体開閉素子を導通させて蛍光灯点灯装置へ電力供給することを特徴とし、１台の熱線センサ付自動スイッチで白熱灯と蛍光灯の両方を点灯させることができ、さらに白熱灯を点灯させる場合には半導体開閉素子の導通角を制御することで、白熱灯を調光点灯させることができる。
【００７４】
請求項２の発明は、請求項１の発明において、スイッチ本体の内部に半導体開閉素子に熱的に結合された放熱部材を収納し、スイッチ本体に放熱部材の一部を露出させる開口部を形成したことを特徴とし、放熱部材の一部をスイッチ本体の開口部から露出させることで、放熱効果を高めることができ、負荷容量を蛍光灯を点灯可能な従来品と同程度に大きくできる。
【００７５】
請求項３の発明は、請求項１の発明において、接続する照明負荷を白熱灯又は蛍光灯点灯装置の何れかに設定する負荷設定部をスイッチ本体に設け、負荷設定部の設定に応じて制御回路部が照明負荷の種類に応じた制御動作を行うことを特徴とし、負荷設定部の設定に応じて、制御回路部が照明負荷の種類に応じた制御動作を行っているので、白熱灯又は蛍光灯点灯装置の何れにも対応できる。
【００７６】
請求項４の発明は、請求項１の発明において、半導体開閉素子と並列にリレー接点を接続し、制御回路部は、白熱灯の調光点灯時にリレー接点を開極させると共に半導体開閉素子をオン／オフさせ、白熱灯の定格点灯時及び蛍光灯の点灯時にリレー接点を閉極させることを特徴とし、白熱灯の定格点灯時及び蛍光灯の点灯時にはリレー接点を介して電力供給することで、半導体開閉素子の発熱を抑えることができ、負荷容量を大きくできるという効果がある。
【００７７】
請求項５の発明は、請求項１乃至請求項４の何れかの発明において、スイッチ本体と別体に形成された操作スイッチ本体を備え、スイッチ本体と操作スイッチ本体の内、少なくとも操作スイッチ本体に、動作保持時間及び点灯開始照度の設定部と、接続する照明負荷を白熱灯又は蛍光灯点灯装置の何れかに設定する負荷設定部と、制御回路部の動作モードを、各センサ部の出力に基づいて照明負荷の点灯状態を自動的に制御する自動モード、各センサ部の出力と無関係に照明負荷を強制的に消灯又は点灯させる切モード又は連続入モードの何れかに切り替える動作モード切替部とを設けたことを特徴とし、操作スイッチ本体に動作保持時間及び点灯開始照度の設定部や負荷設定部や動作モード切替部が設けられているので、操作スイッチ本体により遠隔から設定作業を行えるという効果がある。さらに、スイッチ本体の設置場所は、人感センサ部の検知領域によって決められてしまうが、操作スイッチ本体は所望の場所に設置して使用できるため、設定作業を所望の場所から行えるという効果がある。また更に、操作スイッチ本体に動作保持時間及び点灯開始照度の設定部や負荷設定部や動作モード切替部を設けているので、これらの設定部や切替部をスイッチ本体に設ける必要が無く、スイッチ本体の設定部や切替部を省略することでスイッチ本体の小型化やコストダウンが図れるという効果もある。
【００７８】
請求項６の発明は、請求項５の発明において、スイッチ本体と操作スイッチ本体の両方に、動作保持時間及び点灯開始照度の設定部、負荷設定部、及び動作モード切替部をそれぞれ設けたことを特徴とし、スイッチ本体と操作スイッチ本体の両方で設定作業を行うことができる。
【００７９】
請求項７の発明は、請求項１乃至請求項６の何れかの発明において、上記蛍光灯点灯装置は、外部から入力される調光信号に応じて蛍光灯を調光点灯させる機能を有しており、照明負荷として蛍光灯点灯装置が接続された場合に、上記制御回路部が蛍光灯点灯装置に調光信号を出力することを特徴とし、蛍光灯点灯装置に調光信号を出力することで、蛍光灯を調光制御することができる。
【図面の簡単な説明】
【図１】実施形態１の熱線センサ付自動スイッチのブロック図である。
【図２】同上の熱線センサ付自動スイッチと子器との接続部分を示す要部のブロック図である。
【図３】同上を用いるシステム構成図である。
【図４】（ａ）（ｂ）は同上に蛍光灯を接続した場合の動作説明図である。
【図５】（ａ）（ｂ）は同上に白熱灯を接続した場合の動作説明図である。
【図６】同上の昼時間と補正値との関係を示す図である。
【図７】同上の分解斜視図である。
【図８】同上を示し、化粧カバーを外した状態の下面図である。
【図９】（ａ）（ｂ）は同上の要部拡大図である。
【図１０】実施形態２の熱線センサ付自動スイッチのブロック図である。
【図１１】同上の要部を示す詳細なブロック図である。
【図１２】（ａ）〜（ｅ）は同上の動作説明図である。
【図１３】（ａ）〜（ｅ）は同上の別の動作を説明する動作説明図である。
【図１４】（ａ）〜（ｅ）は同上のまた別の動作を説明する動作説明図である。
【図１５】実施形態３の熱線センサ付自動スイッチのブロック図である。
【図１６】（ａ）は同上のシステム構成図、（ｂ）は壁操作スイッチの一部省略せる正面図である。
【図１７】同上に用いる壁操作スイッチの分解斜視図である。
【図１８】実施形態４の熱線センサ付自動スイッチのブロック図である。
【図１９】同上のシステム構成図である。
【図２０】（ａ）〜（ｄ）は同上の動作説明図である。
【符号の説明】
１　　熱線センサ付自動スイッチ
１０　制御回路部
１１　人感センサ部
１２　明るさセンサ部
１５　半導体制御部
１６　半導体開閉部
１８　負荷設定部
ＡＣ　商用電源
Ｌ　　照明負荷
【図１】
2004031093.tif 000003
【図２】
2004031093.tif 000004
【図３】
2004031093.tif 000005
【図４】
2004031093.tif 000006
【図５】
2004031093.tif 000007
【図６】
2004031093.tif 000008
【図７】
2004031093.tif 000009
【図８】
2004031093.tif 000010
【図９】
2004031093.tif 000011
【図１０】
2004031093.tif 000012
【図１１】
2004031093.tif 000013
【図１２】
2004031093.tif 000014
【図１３】
2004031093.tif 000015
【図１４】
2004031093.tif 000016
【図１５】
2004031093.tif 000017
【図１６】
2004031093.tif 000018
【図１７】
2004031093.tif 000019
【図１８】
2004031093.tif 000020
【図１９】
2004031093.tif 000021
【図２０】
2004031093.tif 000022